(57)【要約】【課題】電力供給時に発生可能な電圧降下を防止して輝度効率をより一層向上させうる有機電界発光ディスプレイ装置を提供する。【解決手段】基板一面上に、一つ以上の層を有する第１電極層及び第２電極層４００、その間に形成された発光層を具備する電界発光部２３０からなるディスプレイ領域２００と、ディスプレイ領域２００に電極用電力を供給する電極用電力供給ライン４１０とを含み、電極用電力供給ライン４１０は、ディスプレイ領域２００外側の少なくとも一部に沿って配置されて第１電極層と同じ材料で形成される一つ以上の層を具備し、少なくとも一部は第２電極層４００と直接接触し、電極用電力供給ライン４１０の下部には、ディスプレイ領域２００の導電層と同じ材料で形成される一つ以上の導電層を有する電気要素５００が配置されることを特徴とする電界発光ディスプレイ装置。【選択図】図２Ａ
2005258395.tif 000002
【特許請求の範囲】
【請求項１】
基板の一面上に形成され、一つ以上の層を有する第１電極層及び第２電極層、並びにこれらの間に形成された発光層を具備する電界発光部からなるディスプレイ領域と、
前記ディスプレイ領域に電極用電力を供給する電極用電力供給ラインと、を含む電界発光ディスプレイ装置において、
前記電極用電力供給ラインは、前記ディスプレイ領域外側の少なくとも一部に沿って配置され、前記第１電極層と同じ材料で形成される一つ以上の層を具備し、かつ、少なくとも一部は前記第２電極層と直接接触し、
前記電極用電力供給ラインの下部には、前記ディスプレイ領域の導電層と同じ材料で形成される一つ以上の導電層を有する電気要素が配置されていることを特徴とする電界発光ディスプレイ装置。
【請求項２】
前記電極用電力供給ラインは、前記ディスプレイ領域の外側に沿って閉曲線を形成することを特徴とする請求項１に記載の電界発光ディスプレイ装置。
【請求項３】
前記第２電極層と前記電極用電力供給ラインとの間には、前記ディスプレイ領域の画素定義層が延長介在され、前記電極用電力供給ライン上部の前記画素定義層の少なくとも一部に形成された開口領域を通じて前記第２電極層と前記電極用電力供給ラインとが相互直接接触することを特徴とする請求項１に記載の電界発光ディスプレイ装置。
【請求項４】
前記開口領域は、前記ディスプレイ領域の外側に沿って閉曲線を形成することを特徴とする請求項３に記載の電界発光ディスプレイ装置。
【請求項５】
前記第２電極層と前記電極用電力供給ラインとは、相互面接触することを特徴とする請求項１ないし請求項４のいずれか一項に記載の電界発光ディスプレイ装置。
【請求項６】
前記電気要素は、前記ディスプレイ領域に電気信号を印加する駆動回路部を含むことを特徴とする請求項１ないし請求項４のいずれか一項に記載の電界発光ディスプレイ装置。
【請求項７】
前記電気要素は、前記ディスプレイ領域に駆動用電力を印加する駆動用電力供給ラインを含むことを特徴とする請求項１ないし請求項４のいずれか一項に記載の電界発光ディスプレイ装置。
【請求項８】
前記発光層から生成された光は、前記基板を経て出射されることを特徴とする請求項１ないし請求項４のいずれか一項に記載の電界発光ディスプレイ装置。
【請求項９】
前記発光層から生成された光は、前記基板と共に少なくとも前記ディスプレイ領域を密封する密封基板を経て出射されることを特徴とする請求項１ないし請求項４のいずれか一項に記載の電界発光ディスプレイ装置。
【請求項１０】
前記第１電極層は、導電性反射膜を含む一つ以上の層で形成されることを特徴とする請求項９に記載の電界発光ディスプレイ装置。
【請求項１１】
前記電極用電力供給ラインは、一つ以上の層で形成され、前記導電性反射膜を含むことを特徴とする請求項１０に記載の電界発光ディスプレイ装置。
【請求項１２】
前記導電性反射膜は、金属層であることを特徴とする請求項１０に記載の電界発光ディスプレイ装置。
【請求項１３】
前記導電性反射膜の厚さは、約１０００〜６０００Åであることを特徴とする請求項１０に記載の電界発光ディスプレイ装置。
【請求項１４】
基板の一面上に形成された、第１電極層、第２電極層、及び前記第１電極層と第２電極層の間に形成された発光層を具備する電界発光部からなるディスプレイ領域と、
前記ディスプレイ領域に電極用電力を供給する電極用電力供給ラインと駆動用電力を供給する駆動用電力供給ラインと、
密封材を通じて少なくとも前記ディスプレイ領域を密封する密封部とを含む電界発光ディスプレイ装置において、
前記電極用電力供給ラインは、前記ディスプレイ領域外側の少なくとも一部に沿って配置され、前記第１電極層と同じ材料で形成される一つ以上の層を具備し、少なくとも一部は前記第２電極層と直接接触することと、
前記電極用電力供給ラインの下部には、前記ディスプレイ領域の導電層と同じ材料で形成される一つ以上の導電層を有する電気要素が配置されることと、
前記駆動用電力供給ラインは、少なくとも一部が前記密封部と前記基板との間に形成される一つ以上の導電層で構成されることとを特徴とする電界発光ディスプレイ装置。
【請求項１５】
前記電極用電力供給ラインは、前記ディスプレイ領域の外側に沿って閉曲線を形成することを特徴とする請求項１４に記載の電界発光ディスプレイ装置。
【請求項１６】
前記第２電極層と前記電極用電力供給ラインとの間には、前記ディスプレイ領域の画素定義層が延長介在され、前記電極用電力供給ライン上部の前記画素定義層の少なくとも一部に形成された開口領域を通じて前記第２電極層と前記電極用電力供給ラインとが相互直接接触することを特徴とする請求項１４に記載の電界発光ディスプレイ装置。
【請求項１７】
前記開口領域は、前記ディスプレイ領域の外側に沿って閉曲線を形成することを特徴とする請求項１６に記載の電界発光ディスプレイ装置。
【請求項１８】
前記第２電極層と前記電極用電力供給ラインとは、面接触することを特徴とする請求項１４ないし請求項１７のいずれか一項に記載の電界発光ディスプレイ装置。
【請求項１９】
前記電気要素は、前記ディスプレイ領域に電気信号を印加する駆動回路部を含むことを特徴とする請求項１４ないし請求項１７のいずれか一項に記載の電界発光ディスプレイ装置。
【請求項２０】
前記発光層から生成された光は、前記基板を経て出射されることを特徴とする請求項１４ないし請求項１７のいずれか一項に記載の電界発光ディスプレイ装置。
【請求項２１】
前記発光層から生成された光は、前記基板と共に密封状態を形成する密封基板を経て出射されることを特徴とする請求項１４ないし請求項１７のいずれか一項に記載の電界発光ディスプレイ装置。
【請求項２２】
前記第１電極層は、導電性反射膜を含む一つ以上の層で形成されることを特徴とする請求項２１に記載の電界発光ディスプレイ装置。
【請求項２３】
前記電極用電力供給ラインは、一つ以上の層で形成され、前記導電性反射膜を含むことを特徴とする請求項２２に記載の電界発光ディスプレイ装置。
【請求項２４】
前記導電性反射膜は、金属層であることを特徴とする請求項２２に記載の電界発光ディスプレイ装置。
【請求項２５】
前記導電性反射膜の厚さは、約１０００〜６０００Åであることを特徴とする請求項２２に記載の電界発光ディスプレイ装置。
【発明の詳細な説明】
【技術分野】
【０００１】
本発明は、平板ディスプレイ装置に係り、より詳細には基板サイズに対するディスプレイ領域の比率を増大させ、電力供給の時に発生する電圧降下を減らしてディスプレイ領域の輝度不均一を減少させうる有機電界発光ディスプレイ装置に関する。
【背景技術】
【０００２】
画像の表示において、数多くの種類のディスプレイ装置が使われているが、最近は従来のブラウン管、すなわちＣＲＴ（Ｃａｔｈｏｄｅ  Ｒａｙ  Ｔｕｂｅ、陰極線管）を代替する多様な平板ディスプレイ装置が使われる。
【０００３】
このような平板ディスプレイ装置は、発光形態によって自発光型と非自発光型とに分類しうる。自発光型ディスプレイ装置には、平面ブラウン管、プラズマディスプレイ装置、真空蛍光表示装置、電界放出ディスプレイ装置、無機／有機電界発光ディスプレイ素子などがあり、非自発光型ディスプレイ装置には、液晶ディスプレイ装置がある。その中でも、有機電界発光素子は、バックライトのように別途の発光装置の必要ない自発光型であり、低電力及び高効率作動が可能で、青色発光が可能であることで、最近注目されている平面ディスプレイ素子である。
【０００４】
有機電界発光ディスプレイ素子は、有機物薄膜に陰極と陽極とを通じて注入された電子と正孔とが再結合して励起子を形成し、形成された励起子からのエネルギーにより特定の波長の光が発生する現象を利用する自発光型ディスプレイ装置である。有機電界発光ディスプレイ装置は、低電圧で駆動可能であり、軽量の薄型であり、視野角が広いだけでなく、さらに応答速度も速いという長所がある。
【０００５】
このような有機電界発光ディスプレイ素子の有機電界発光部は、基板上に積層式に形成される陽極としての第１電極、有機発光部、及び陰極としての第２電極で構成される。有機発光部は、有機発光層（ＥＭＬ、Ｅｍｉｔｔｉｎｇ  Ｌａｙｅｒ）を具備し、この有機ＥＭＬで正孔と電子とが再結合して励起子を形成して光が発生する。発光効率をより高めるためには、正孔と電子とを有機ＥＭＬにより円滑に輸送しなければならない。このために陰極と有機ＥＭＬとの間には電子輸送層（ＥＴＬ、Ｅｌｅｃｔｒｏｎ  Ｔｒａｎｓｐｏｒｔ  Ｌａｙｅｒ）が配置され、陽極と有機ＥＭＬとの間には正孔輸送層（ＨＴＬ、Ｈｏｌｅ  Ｔｒａｎｓｐｏｒｔ  Ｌａｙｅｒ）が配置されうる。さらに、陽極とＨＴＬとの間に正孔注入層（ＨＩＬ、Ｈｏｌｅ  Ｉｎｊｅｃｔｉｏｎ  Ｌａｙｅｒ）が配置され、陰極とＥＴＬとの間に電子注入層（ＥＩＬ、Ｅｌｅｃｔｒｏｎ  Ｉｎｊｅｃｔｉｏｎ  Ｌａｙｅｒ）が配置されうる。
【０００６】
一方、有機電界発光ディスプレイ素子は、駆動方式によって、受動駆動方式のパッシブマトリックス（Ｐａｓｓｉｖｅ  Ｍａｔｒｉｘ：ＰＭ）型と、能動駆動方式のアクティブマトリックス（Ａｃｔｉｖｅ  Ｍａｔｒｉｘ：ＡＭ）型とに区分される。前記ＰＭ型は、単純に陽極と陰極とが各々カラムとローとに配列され、陰極にはロー駆動回路からスキャニング信号が供給され、この時、複数のローの中一つのローだけが選択される。さらに、カラム駆動回路には各画素にデータ信号が入力される。一方、前記ＡＭ型は、薄膜トランジスター（Ｔｈｉｎ  Ｆｉｌｍ  Ｔｒａｎｓｉｓｔｏｒ、ＴＦＴ）を利用して各画素当りの入力信号を制御するものであり、膨大な量の信号処理に適して動映像を具現するためのディスプレイ装置として多く使われている。
【０００７】
ところが、有機／無機電界発光ディスプレイ装置、特にＡＭ型有機／無機電界発光装置において、各種駆動回路部及び配線のレイアウト上の問題で基板サイズに対して画素で構成されるディスプレイ領域サイズ比率が相対的に小さくなるという問題点がある。
【０００８】
図１Ａには通常使われるＡＭ型有機電界発光ディスプレイ装置の平面図が、そして図１Ｂには図１ＡでＩ−Ｉ線に沿った断面図が図示されている。
【０００９】
図示されたＡＭ型有機電界発光ディスプレイ装置は、透明な絶縁基板１０上に有機電界発光素子を含む所定のディスプレイ領域２０を有する。このディスプレイ領域２０は、密封部材であるメタルキャップ９０が密封材８１から構成された密封部８０により密封されたものである。
【００１０】
前記ディスプレイ領域２０はＴＦＴを含んだ有機電界発光素子が複数個の画素を構成して配列され、前記ディスプレイ領域２０の上部には有機電界発光素子のある一つの電極である陰極電極４０が敷かれており、この陰極電極４０はディスプレイ領域２０の一側に備わった電極配線部４１を通じて外側の端子領域７０に連結される。さらに、前記ディスプレイ領域２０には複数個の駆動ライン（ＶＤＤ３１）が配設される。このＶＤＤ３１はディスプレイ領域２０外側の駆動用電力配線部３０を通じて端子領域７０と連結されてディスプレイ領域２０に駆動用電力を供給する。そして、前記ディスプレイ領域２０の外側には、前記ディスプレイ領域２０のＴＦＴ等に信号を入力する垂直回路部５０と水平回路部６０とがさらに具備され、これらは全て回路配線部５１，６１により端子領域７０と連結される。
【００１１】
前記のようなＡＭ型有機電界発光ディスプレイ装置において、密封部材であるメタルキャップ９０はディスプレイ領域２０をはじめ、配線部５１，６１と回路部５０，６０とを含んで端子領域７０を除いた全領域を密封する。したがって、密封部８０の内部領域には、画像が具現されるディスプレイ領域２０だけでなく、画像が具現されない配線部５１，６１や回路部５０，６０などが全て竝存する。これはディスプレイ装置の全体大きさに比べて発光されるディスプレイ領域２０の比率を低くする結果となり、結局、非発光領域のデッドスペースを増やす非効率的な問題になる。
【００１２】
特許文献１には、前記のような問題点が明らかに開示されている。ここで、陰極としての保護電極は、密封部の端部に配置された接触配線を通じて外部ＦＰＣと接触される構造になっているが、密封部の端部で相当な面積を占めていることがわかる。
【００１３】
このような配置上の問題点により、前記図１Ａ及び図１Ｂで示したような有機電界発光ディスプレイ装置は、ディスプレイ領域２０と端子領域７０とを連結する配線部５１，６１の幅を制限的に薄くする場合、配線部の抵抗増大による輝度減少も生じうる。
【００１４】
さらに、特許文献２には、パネルサイズを減らすための構造の液晶ディスプレイ装置が開示されている。しかし、共通電極が配設された基板と画素電極が配設された基板との間には液晶が注入密封され、このような液晶注入のための両基板の間隔によって共通電極に電力を供給するラインと共通電極との間には段差が発生しうる。このような段差は、両者間に接触不良を誘発して電力供給時に相当な電圧降下を発生させることになり、ディスプレイ領域の輝度を低下させる問題点を招くことになる。
【特許文献１】大韓民国特許第２００１−８３２１３号公開公報
【特許文献２】特開２００３−３１６２８４号公報
【発明の開示】
【発明が解決しようとする課題】
【００１５】
本発明は、前記のような問題点を解決するために案出されたものであり、基板サイズに対するディスプレイ領域の比率を増大させると同時に、電圧降下による輝度減少ないし不均一を解消させた電界発光ディスプレイ装置を提供することにその目的がある。
【課題を解決するための手段】
【００１６】
前記の目的を達成するために本発明は、基板一面上に形成され、一つ以上の層を有する第１電極層及び第２電極層、及びこの間に形成された発光層を具備する電界発光部からなるディスプレイ領域と、前記ディスプレイ領域に電極用電力を供給する電極用電力供給ラインとを含む電界発光ディスプレイ装置において、前記電極用電力供給ラインは、前記ディスプレイ領域外側の少なくとも一部に沿って配置され、前記第１電極層と同じ材料で形成される一つ以上の層を具備するものの、少なくとも一部は前記第２電極層と直接接触し、前記電極用電力供給ラインの下部には前記ディスプレイ領域の導電層と同じ材料で形成される一つ以上の導電層を有する電気要素が配置されることを特徴とする電界発光ディスプレイ装置を提供する。
【００１７】
また、本発明は、前記電極用電力供給ラインは、前記ディスプレイ領域の外側に沿って閉曲線を形成することを特徴とする電界発光ディスプレイ装置を提供する。
【００１８】
また本発明は、前記第２電極層と前記電極用電力供給ラインとの間には、前記ディスプレイ領域の画素定義層が延長介在され、前記電極用電力供給ライン上部の前記画素定義層の少なくとも一部に形成された開口領域を通じて前記第２電極層と前記電極用電力供給ラインとが相互直接接触することを特徴とする電界発光ディスプレイ装置を提供する。
【００１９】
また本発明は、前記開口領域は、前記ディスプレイ領域の外側に沿って閉曲線を形成することを特徴とする電界発光ディスプレイ装置を提供する。
【００２０】
また本発明は、前記第２電極層と前記電極用電力供給ラインとは、相互面接触することを特徴とする電界発光ディスプレイ装置を提供する。
【００２１】
また本発明は、前記電気要素は、前記ディスプレイ領域に電気信号を印加する駆動回路部を含むことを特徴とする電界発光ディスプレイ装置を提供する。
【００２２】
また本発明は、前記電気要素は、前記ディスプレイ領域に駆動用電力を印加する駆動用電力供給ラインを含むことを特徴とする電界発光ディスプレイ装置を提供する。
【００２３】
また本発明は、前記発光層から生成された光は、前記基板を経て出射されることを特徴とする電界発光ディスプレイ装置を提供する。
【００２４】
また本発明は、前記発光層から生成された光は、前記基板と共に少なくとも前記ディスプレイ領域を密封する密封基板を経て出射されることを特徴とする電界発光ディスプレイ装置を提供する。
【００２５】
また本発明は、前記第１電極層は、導電性反射膜を含む一つ以上の層で形成されることを特徴とする電界発光ディスプレイ装置を提供する。
【００２６】
また本発明は、前記電極用電力供給ラインは、一つ以上の層で形成され、前記導電性反射膜を含むことを特徴とする電界発光ディスプレイ装置を提供する。
【００２７】
また本発明は、前記導電性反射膜は、金属層であることを特徴とする電界発光ディスプレイ装置を提供する。
【００２８】
また本発明は、前記導電性反射膜の厚さは、約１０００〜６０００Åであることを特徴とする電界発光ディスプレイ装置を提供する。
【００２９】
また本発明は、基板一面上に形成され、第１電極層、第２電極層、及び前記第１電極層と第２電極層の間に形成された発光層を具備する電界発光部からなるディスプレイ領域と、前記ディスプレイ領域に電極用電力を供給する電極用電力供給ライン及び駆動用電力を供給する駆動用電力供給ラインと、密封材を通じて少なくとも前記ディスプレイ領域を密封する密封部とを含む電界発光ディスプレイ装置において、前記電極用電力供給ラインは、前記ディスプレイ領域外側の少なくとも一部に沿って配置され、前記第１電極層と同じ材料で形成される一つ以上の層を具備し、少なくとも一部は前記第２電極層と直接接触することと、前記電極用電力供給ラインの下部には、前記ディスプレイ領域の導電層と同じ材料で形成される一つ以上の導電層を有する電気要素が配置されることと、前記駆動用電力供給ラインは、少なくとも一部が前記密封部と前記基板との間に形成される一つ以上の導電層で構成されることとを特徴とする電界発光ディスプレイ装置を提供する。
【００３０】
また本発明は、前記電極用電力供給ラインは、前記ディスプレイ領域の外側に沿って閉曲線を形成することを特徴とする電界発光ディスプレイ装置を提供する。
【００３１】
また本発明は、前記第２電極層と前記電極用電力供給ラインとの間には、前記ディスプレイ領域の画素定義層が延長介在され、前記電極用電力供給ライン上部の前記画素定義層の少なくとも一部に形成された開口領域を通じて前記第２電極層と前記電極用電力供給ラインとが相互直接接触することを特徴とする電界発光ディスプレイ装置を提供する。
【００３２】
また本発明は、前記開口領域は、前記ディスプレイ領域の外側に沿って閉曲線を形成することを特徴とする電界発光ディスプレイ装置を提供する。
【００３３】
また本発明は、前記第２電極層と前記電極用電力供給ラインとは、面接触することを特徴とする電界発光ディスプレイ装置を提供する。
【００３４】
また本発明は、前記電気要素は、前記ディスプレイ領域に電気信号を印加する駆動回路部を含むことを特徴とする電界発光ディスプレイ装置を提供する。
【００３５】
また本発明は、前記発光層から生成された光は、前記基板を経て出射されることを特徴とする電界発光ディスプレイ装置を提供する。
【００３６】
また本発明は、前記発光層から生成された光は、前記基板と共に密封状態を形成する密封基板を経て出射されることを特徴とする電界発光ディスプレイ装置を提供する。
【００３７】
また本発明は、前記第１電極層は、導電性反射膜を含む一つ以上の層で形成されることを特徴とする電界発光ディスプレイ装置を提供する。
【００３８】
また本発明は、前記電極用電力供給ラインは、一つ以上の層で形成され、前記導電性反射膜を含むことを特徴とする電界発光ディスプレイ装置を提供する。
【００３９】
また本発明は、前記導電性反射膜は、金属層であることを特徴とする電界発光ディスプレイ装置を提供する。
【００４０】
また本発明は、前記導電性反射膜の厚さは、約１０００〜６０００Åであることを特徴とする電界発光ディスプレイ装置を提供する。
【発明の効果】
【００４１】
本発明によれば、電極用電力供給ラインの少なくとも一部分を、垂直／水平駆動回路部及び／または駆動用電力供給ラインと重畳させることによってパネルサイズを増大させうる。
【００４２】
さらに、第２電極層と電極用電力供給ラインの少なくとも一部を直接接触、望ましくは面接触させることで、これらの電気的な連結時に発生可能な電圧降下を減少させうる。さらに、第２電極層がディスプレイ領域を囲んで閉曲線を形成するようにすることで、第２電極層が透明電極に形成される場合に発生可能なディスプレイ領域位置による電圧降下の差を減少させ、究極的にディスプレイ領域位置による輝度の差を顕著に減らせる。
【００４３】
さらに、駆動用電力供給ラインを密封部と重畳させることによってパネルに対するディスプレイ領域の面積比をさらに増大させ、駆動用電力供給ラインを一つ以上の導電層で構成することによって駆動用電力供給時に発生可能な電圧降下を防止して輝度の効率をさらに向上させうる。
【発明を実施するための最良の形態】
【００４４】
図２Ａには、本発明の一実施例による有機電界発光ディスプレイ装置が概略的に図示されている。
【００４５】
図２Ａに図示されたように、基板１１０の一面上には、有機電界発光ディスプレイ素子のような発光素子が配置されたディスプレイ領域２００の外側に沿って塗布されて基板１１０とカプセル化基板９００（図２Ｂ参照）とを密封させる密封部８００、各種端子が配置された端子領域を具備する。
【００４６】
ディスプレイ領域２００を構成する有機電界発光ディスプレイ素子の構成は図２Ｂを参照して説明する。なお、図２Ｂは図２ＡのＩＩ−ＩＩ線による有機電界発光ディスプレイ装置の概略的な断面図である。
【００４７】
基板、例えばガラス材の基板１１０上にＳｉＯ２等でバッファー層１２０が形成される。バッファー層１２０の一面上には半導体活性層１３０が形成される。半導体活性層１３０は非晶質シリコン層または多結晶質シリコン層で形成されうる。図面では詳細に図示されていないが、半導体活性層１３０は、Ｎ＋型またはＰ＋型のドーパントでドーピングされるソース及びドレーン領域と、チャンネル領域とで構成される。半導体活性層１３０は、有機半導体からなりうる等、前記事項に限定されるものではない。
【００４８】
半導体活性層１３０の一面上部のチャンネル領域に対応される位置には、ゲート電極１５０が形成され、ゲート電極１５０に印加される信号のいかんによってチャンネル領域の通電のいかんが決定され、これを通じてソース及びドレーン領域が連結される。ゲート電極１５０は、隣接層との密着性、積層される層の表面平坦性そして加工性などを考慮して、例えばＭｏＷ、Ａｌ／Ｃｕなどのような物質で形成されることが望ましいが、これらに限定されるものではない。また、半導体活性層１３０とゲート電極１５０との絶縁性を確保するために、例えば、プラズマ強化化学気相蒸着（ＰＥＣＶＤ）を通じてＳｉＯ２で構成されるゲート絶縁層１４０が半導体活性層１３０とゲート電極１５０との間に介在される。
【００４９】
ゲート電極１５０の上部には、中間層１６０が形成される。中間層はＳｉＯ２、ＳｉＮＸなどの物質で断層形成されたり、または二重層の形態で構成されうる。
【００５０】
中間層１６０の上部には、ソース／ドレーン電極１７０が形成される。ソース／ドレーン電極１７０は、中間層１６０やゲート絶縁層１４０に形成されるコンタクト孔を通じて半導体活性層のソース領域及びドレーン領域と各々電気的に連結される。
【００５１】
ソース／ドレーン電極１７０の上部には、保護層（パッシベーション層及び／または平坦化層）１８０が形成され、下部のＴＦＴを保護して平坦化させる。
【００５２】
本発明の一実施例による保護層１８０は、多様な形態に構成することができ、無機物または有機物で形成でき、また単層で形成されたり、下部にＳｉＮＸ層を具備して上部に、例えばＢＣＢ（ｂｅｎｚｏｃｙｃｌｏ  ｂｕｔｅｎｅ）またはアクリルなどのような有機物層を具備する二重層または複数層でも構成されうる。
【００５３】
保護層１８０の一面上には、第１電極層２１０が配設される。第１電極層２１０の一端は保護層１８０に形成された貫通孔２１１を通じて下部のドレーン電極１７０と接触する。第１電極層２１０は、下記のように、背面発光型の場合、酸化インジウムスズ（ＩＴＯ）などの透明電極で構成でき、前面発光型の場合、Ｍｇ：Ａｇ／ＩＴＯ等の複数層で形成されうる。もちろん、第１電極層２１０はそのほかの多様な変形例を具備できる。
【００５４】
有機電界発光部２３０は、低分子または高分子有機膜で構成されうる。低分子有機膜を使用する場合、ＨＩＬ、ＨＴＬ、ＥＭＬ、ＥＴＬ、ＥＩＬなどが単一あるいは複合の構造で積層形成でき、使用可能な有機材料も銅フタルロシアニン（ＣｕＰｃ：Ｃｏｐｐｅｒ  Ｐｈｔｈａｌｏｃｙａｎｉｎｅ）、Ｎ，Ｎ−ジ（ナフタレン−１−イル）−Ｎ，Ｎ’−ジフェニル−ベンジディン（ＮＰＢ）、トリス−８−ヒドロキシキノリンアルミニウム（Ａｌｑ３）などをはじめとする多様な材料を適用できる。この低分子有機膜は真空蒸着方法で形成される。
【００５５】
高分子有機膜の場合には、大体ＨＴＬ及びＥＭＬで備わった構造を有しうる。この時、前記ＨＴＬにＰＥＤＯＴを使用し、発光層にＰＰＶ（Ｐｏｌｙ−Ｐｈｅｎｙｌｅｎｅｖｉｎｙｌｅｎｅ）系及びポリフルオレン系等高分子有機物質を使用し、これをスクリーン印刷やインクジェット印刷方法等で形成しうる。
【００５６】
有機電界発光部２３０の一面上部には、陰極電極４００が全面蒸着される。陰極電極４００は、このような全面蒸着形態に限定されるものではない。さらに、発光類型によってＡｌ／Ｃａ、ＩＴＯ、Ｍｇ−Ａｇなどのような材料でも形成でき、単一層でない複数の層でも形成でき、ＬｉＦなどのようなアルカリまたはアルカリ土類金属フッ化層がさらに備わえる等、多様な類型で構成しうる。
【００５７】
さらに、図２Ａで示したように、ディスプレイ領域２００と密封部８００との間には、ディスプレイ領域２００に駆動用電力を供給するための駆動用電力供給ライン３００が配置される。
【００５８】
図２Ａは、本発明の一例であり、駆動用電力供給ラインの配置がこれに限定されるものではないが、ディスプレイ領域全体に均一な駆動用電力を供給することによって輝度不均一を改善させうるという点より、駆動用電力供給ライン３００はディスプレイ領域をめぐるように形成されることが望ましい。駆動用電力供給ライン３００は駆動ライン３１０と連結される。駆動ライン３１０はディスプレイ領域２００と交差して配置され、保護層１８０下部に配置されたソース電極１７０（図２Ｂ参照）と電気的に連結される。
【００５９】
さらに、ディスプレイ領域２００外側には、垂直／水平駆動回路部５００、６００が配置される。垂直駆動回路部５００は、ディスプレイ領域２００にスキャン信号を印加するスキャン駆動回路部になり、水平駆動回路部６００はディスプレイ領域２００にデータ信号を印加するデータ駆動回路部になりうる。これらは場合によって外装ＩＣやチップオングラス（ＣＯＧ）で具現されうる。本発明によるデッドスペース減少によって原価削減及び装置の簡素性などを考慮して、ディスプレイ領域と一体に形成されることが望ましい。
【００６０】
一方、ディスプレイ領域２００の外側に沿って少なくとも一部には、ディスプレイ領域２００に電極用電力を供給する電極用電力供給ライン４１０が配置される。
【００６１】
電極用電力供給ライン４１０は、ディスプレイ領域２００の第１電極層２１０と同じ材料で形成される。すなわち、電極用電力供給ライン４１０は、第１電極層２１０の形成と同時に形成される。さらに、電極用電力供給ライン４１０は、後に形成される第２電極層４００と直接接する構造を有することで、従来技術での接触配線による接触不良や電圧降下による問題点を解消させうる。
【００６２】
さらに、電極用電力供給ライン４１０の下部には、一つ以上の導電層で構成される電気要素、例えば垂直駆動回路部５００が配置され、電極用電力供給ラインが他の構成要素とは重畳されないように独立に配置された従来技術とは異なる。本発明の一実施例による電極用電力供給ライン４１０は、垂直駆動回路部５００のような電気要素上部に配置されることにより、従来技術で電極用電力供給ライン４００を配置するために割り当てられた領域除去が可能で基板サイズに対するディスプレイ領域の面積比率を増大させうる。すなわち、同一サイズのディスプレイ領域に対して基板サイズを小さくしたり、または同一基板サイズに対しディスプレイ領域のサイズを大きくさせうる。
【００６３】
電極用電力供給ライン４１０と第２電極層４００とを電気的に連結させるためには、多様な方法が使われる。電極用電力供給ライン４１０と第２電極層４００との接触時に発生する抵抗による電圧降下を防止するため、このような電気的連結は電極用電力供給ライン４１０と第２電極層４００との面接触を通じて行われることが望ましい。すなわち、電極用電力供給ライン幅の相当部分が、第２電極層４００と電極用電力供給ライン４１０との接触領域になることが望ましい。
【００６４】
第２電極層４００としては、例えば、Ａｇ／ＴＣＯ（ＩＴＯ，ＩＺＯ）を用いることができる。
【００６５】
さらに、図２Ｂに図示されたように、第２電極層４００と電極用電力供給ライン４１０との間にディスプレイ領域２００の画素領域を定義する画素定義層２２０が延長されて介在され、第２電極層４００もディスプレイ領域２００の外側に電極用電力供給ライン４１０の上部に延長形成されうる。この場合、電極用電力供給ライン４１０の上部に画素定義層２２０の少なくとも一部に開口領域４３０が形成されうるが、この開口領域４３０で第２電極層４００と電極用電力供給ライン４１０とは相互直接接触し、望ましくは面接触しうる。
【００６６】
一方、図２Ａでは、電極用電力供給ライン４１０がディスプレイ領域２００の導電層の中で一つ以上の導電層を具備する電気要素として、垂直駆動回路部５００と重畳（密封基板９００から基板１１０に向けた方向よりみて）される場合が図示されているが、本発明はこれに限定されるものではない。すなわち、図３に図示されたように、電極用電力供給ライン４１０は、ディスプレイ領域２１０にデータ信号を印加できる水平回路部６００上部にも配置でき、各種配線の位置とも重畳されうる等、各種駆動回路部の配置レイアウトによって多様な変形例を考慮しうる。
【００６７】
さらに、図４Ａ及び図４Ｂに図示されたように、上部に電極用電力供給ライン４１０が配置される電気要素として駆動用電力供給ライン３００が選択されうる。すなわち、ディスプレイ領域２００の外側に垂直駆動回路部５００が配置され、垂直駆動回路部５００と密封部８００との間に駆動用電力供給ライン３００が配置され、ディスプレイ領域２００の第１電極層２１０の形成と共に駆動用電力供給ライン３００上部の少なくとも一部に電極用電力供給ライン４１０が形成されうる。その後、第１電極層２１０の上に画素定義層２２０が形成される。この画素定義層２２０は電極用電力供給ライン４１０の少なくとも一部を覆うように形成され、後で形成される第２電極層４００と電極用電力供給ライン４１０との間に介在されうる。この場合、ディスプレイ領域２００の画素領域が形成されると共に駆動用電力供給ライン３００の上部の少なくとも一部には開口領域４３０が形成されるが、後で形成される第２電極層４００は開口領域４３０で電極用電力供給ライン４１０と直接接触、望ましくは面接触することで、第２電極層４００と電極用電力供給ラインとの接触が駆動用電力供給ライン上部で生じうる。
【００６８】
前記の実施例において、相互重畳される構成要素の間に干渉が起きないように、電極用電力供給ライン４１０と下部の電気要素、すなわち垂直／水平駆動回路部５００、６００及び駆動用電力供給ライン４１０と各種配線との間には充分な厚さを有する保護層１８０が介在されることが望ましい。
【００６９】
一方、電極用電力供給ラインは、ディスプレイ領域２００外側の少なくとも一部に形成されるが、前記のように電極用電力供給ラインの配置形態は図２Ａ及び図３の形態に限定されない。電極用電力供給が第２電極層４００のある一側でのみ行われる場合、第２電極層４００の位置によって異なる電圧降下が発生して輝度不均一を招きうることもあるため、これを補完するように電極用電力供給ライン４１０と第２電極層４００との接触は第２電極層４００の両側で対称的に行われるようにも配置されうるので、図４Ａに図示されたようにこれらは閉曲線を形成するように配置することが望ましい。
【００７０】
さらに、電極用電力供給ライン４１０と第２電極層４００との間に画素定義層２２０が延長介在される場合、電極用電力供給ライン４１０と第２電極層４００との間に直接接触、望ましくは面接触される開口領域４３０に閉曲線を形成させることで、電極用電力供給時に発生する電圧降下を減少させ、究極的にディスプレイ領域の輝度不均一現象を改善させうる。
【００７１】
前面発光型の場合、第２電極層４００に主に透明電極、例えば、伝導性が低いＩＴＯを使用するために、このような構成は前面発光型で特に有利である。しかし、本発明による電界発光ディスプレイ装置が前面発光型に限定されるものではない。
【００７２】
一方、本発明のさらに他の一実施例によれば、前面発光型の場合、第１電極層２１０は少なくとも導電性反射膜を含む一つ以上の層を具備することが望ましい。例えば、第１電極層２１０は、Ａｌ、Ａｇ、またはこれらの合金等で全面蒸着される導電性反射膜を形成した後、この導電性反射膜の上部にＮｉ、Ｉｒ、Ｐｔ、Ａｕ、ＩＴＯ、ＩＺＯなどの金属及び／または金属酸化物などの多重層になりうる。しかし、第１電極層２１０の構造は前記の類型に限定されるものではない。すなわち、場合によっては、導電性反射膜の形成前に、Ｎｉ、ＩＴＯ、ＩＺＯなどの金属及び／または金属酸化物などの層をさらに具備するように第１電極層２１０を構成しうる等、多様な形態の構成になりうる。さらに、この場合、電極用電力供給ライン４１０の導電性を確保するために、電極用電力供給ライン４１０は少なくとも第１電極層２１０の導電性反射膜と同じ材料で構成される層を含むことが望ましい。場合によっては、電極用電力供給ライン４１０は第１電極層２１０の導電性反射膜と同じ材料で構成される層のみでも構成されうる。
【００７３】
一方、電極用電力供給ライン４１０が第１電極層２１０の導電性反射膜と同じ材料で構成される層を具備する場合、両者の接触部分の抵抗増大を防止して電極用電力供給ライン４１０の機能を充実に実行するように、導電性反射膜の厚さを約１０００〜６０００Åに設定することが望ましいが、工程要件及び全体厚さの仕様などを考慮してほぼ３０００Åほどに維持することがより望ましい。
【００７４】
本発明のさらに他の一実施例として、パネル対ディスプレイ領域２００の比率をさらに増大させるために、駆動用電力供給ライン３００は少なくとも一部が密封部８００と基板との間に形成される一つ以上の導電層で構成されうる。
【００７５】
図５Ａ及び図５Ｂに図示されたように、駆動用電力供給ライン３００はディスプレイ領域２００の外周部に沿って形成される密封部８００と重畳されるように配置されうる。図５Ｂで、駆動用電力供給ライン３００は、ディスプレイ領域２００のソース／ドレーン電極１７０と同じ材料で中間層１６０の一面上に形成されるが、これは一例に過ぎず、駆動用電力供給ライン３００が前記の構成に限定されるものではない。すなわち、駆動用電力供給ライン３００は、半導体活性層１３０、ゲート電極１５０、ソース／ドレーン電極１７０などと同じ材料で形成される一つ以上の層からなりうる。駆動用電力供給ライン３００がソース／ドレーン電極１７０と同じ材料で形成される場合、密封材８１０との接触によるライン損傷を防止するために、駆動用電力供給ライン３００は保護層１８０で塗布される等、密封材と電気ラインとの間で直接に接触されないように構成することが望ましい。
【００７６】
図５Ａでわかるように、電極用電力供給ライン４１０を駆動回路部などと重畳させて駆動用電力供給ライン３００を密封部８００と重畳配置させる場合、パネルに対するディスプレイ領域の面積比をさらに増大させうる。
【００７７】
以上の実施例は本発明を説明するための例であり、本発明はこれに限定されるものではない。すなわち、駆動用電力供給ライン、電極用電力供給ライン及び駆動回路部などのレイアウトは、本発明による電極用電力供給ライン及び／または駆動用電力供給ラインに対する思想を含む範囲で多様に変形でき、さらに前述の実施例は有機電界発光ディスプレイ装置に対することであるが、本発明の範囲内で無機電界発光ディスプレイ装置にも十分に適用できる等、多様な変形例を考慮しうる。
【００７８】
本発明は、添付された図面に示した実施例を参考に説明されたが、これは例示に過ぎず、当該技術分野の当業者なら多様な変形及び均等な他実施例が可能であるということを理解できる。したがって、本発明の真の保護範囲は特許請求範囲によって決まらなければならない。
【産業上の利用可能性】
【００７９】
本発明の有機電界発光ディスプレイ装置は、多様な平板ディスプレイ装置に適用できる。
【図面の簡単な説明】
【００８０】
【図１Ａ】従来技術による有機電界発光ディスプレイ装置の概略的な平面図である。
【図１Ｂ】図１ＡのＩ−Ｉ線による概略的な断面図である。
【図２Ａ】本発明の一実施例による有機電界発光ディスプレイ装置の概略的な平面図である。
【図２Ｂ】図２ＡのＩＩ−ＩＩ線による有機電界発光ディスプレイ装置の概略的な断面図である。
【図３】本発明の他の一実施例による有機電界発光ディスプレイ装置の概略的な断面図である。
【図４Ａ】本発明のさらに他の一実施例による有機電界発光ディスプレイ装置の概略的な平面図である。
【図４Ｂ】図４ＡのＩＩＩ−ＩＩＩ線による有機電界発光ディスプレイ装置の概略的な断面図である。
【図５Ａ】本発明のさらに他の一実施例による有機電界発光ディスプレイ装置の概略的な平面図である。
【図５Ｂ】図５ＡのＩＶ−ＩＶ線による有機電界発光ディスプレイ装置の概略的な断面図である。
【符号の説明】
【００８１】
１１０…基板、
１２０…バッファー層、
１３０…半導体活性層、
１４０…ゲート絶縁層、
１５０…ゲート電極、
１６０…中間層、
１７０…ソース及びドレーン電極、
１８０…保護層、
２００…ディスプレイ領域、
２１０…第１電極層、
２３０…有機電界発光部、
３００…駆動用電力供給ライン、
４００…第２電極層、
４１０…電極用電力供給ライン、
５００…垂直駆動回路部、
６００…水平駆動回路部、
８００…密封部。
【図１Ａ】
2005258395.tif 000003
【図１Ｂ】
2005258395.tif 000004
【図２Ａ】
2005258395.tif 000005
【図２Ｂ】
2005258395.tif 000006
【図３】
2005258395.tif 000007
【図４Ａ】
2005258395.tif 000008
【図４Ｂ】
2005258395.tif 000009
【図５Ａ】
2005258395.tif 000010
【図５Ｂ】
2005258395.tif 000011